(57)【要約】【課題】浴水が降りかかった引戸をそのまま戸袋に相当する部位に収め、出入口を閉めた引戸が位置する下レールにこの引戸から浴水が滴り落ちたとしても、この下レールの部位から浴水を排水できるようにした浴室の出入口構造を提供する。【解決手段】隣接した浴室１と脱衣所２との間の仕切り壁３に出入口４を開口する。この出入口４の脱衣所側に引戸５を開閉自在に設ける。引戸５のガイド用の下レール６のうち出入口４を開けた引戸５が収まる部位に排水孔７を設ける。排水孔７から浴室側に連通した排水経路８を設ける。【選択図】　　　　図１
2004084335.tif 000002
【特許請求の範囲】
【請求項１】
隣接した浴室と脱衣所との間の仕切り壁に出入口を開口し、この出入口の脱衣所側に引戸を開閉自在に設け、この引戸のガイド用の下レールのうち出入口を開けた引戸が収まる部位に排水孔を設けると共に、この排水孔から浴室側に連通した排水経路を設けたことを特徴とする浴室の出入口構造。
【請求項２】
下レールに隣接した仕切り壁の内部に下レールに沿わせて排水経路を設け、この排水経路の出口を出入口の床に設けた排水溝に臨ませ、排水溝から浴室の床下に設けた排水トラップに排水管を連通させたことを特徴とする請求項１記載の浴室の出入口構造。
【発明の詳細な説明】
【０００１】
【発明の属する技術分野】
本発明は、浴室の出入口構造に関する発明であって、詳しくは、出入口を開けた引戸が納められる下レールの部位における排水構造の発明である。
【０００２】
【従来の技術】
従来から、浴室と脱衣所との間の仕切り壁に開口した浴室の出入口には、浴室に隣接した脱衣所等の部屋に浴水を侵入させないように扉が開閉自在に配置されている。この扉としては開き戸や引戸など様々な種類のものが用いられるが、たとえば、出入口の開口面積と略同等の板面積を有する１枚の引戸の場合がある。この場合、出入口を開けた引戸が納められる戸袋に相当する部位がこの出入口に隣接して設けられる。この戸袋に相当する部位は、浴室がユニットルームで構成された場合には浴室内には施工しにくいといった理由や、浴室内の景観を損ねてしまうなどの理由で、仕切り壁の脱衣所側の壁面に沿わせて設けられることが多い。
【０００３】
たとえば、図１７乃至図１９には、出入口４の脱衣所側に、出入口４の開口面積と略同等の板面積を有する１枚の引戸（図示せず）を開閉自在に設けてなる浴室の出入口構造の例を示す。この引戸は、出入口４の幅方向に亘ると共に仕切り壁３の脱衣所側の壁面に沿って配設された上下１対のレールの間に摺動自在に取付けられている。上記レールのうち下レール６にあっては、その脱衣所側の部位で脱衣所の床面に接続固定され、その浴室側の部位には下方に凹没した受け凹所２１が設けられている。そして、この受け凹所２１が出入口４の床を構成する床枠材２７や仕切り壁３に接続固定されている。なお、仕切り壁３は浴室１の壁パネル１２と脱衣所２の戸袋パネル１５と称される壁パネル材とが対面して構成されている。この戸袋パネル１５は図１９に示す幅木材４０’の上に立設されており、この幅木材４０’が受け凹所２１内に固定されて下レール６と仕切り壁３とが固定がされている。また、出入口４は仕切り壁３の開口部位であるが、仕切り壁３を構成する壁パネル１２及び戸袋パネル１５の出入口４側の端部には、出入口４の縦壁面を構成する方立２８が連結されて立設されている。
【０００４】
なお、出入口４の床を構成する床枠材２７は、上面に開口する排水溝９が設けてあり、この排水溝９の上面開口には蓋材（図示せず）が被着される。この蓋材は、浴室１の床面と脱衣所２の床面とを略段差なく連続させる出入口４の床面を構成するものであって、近年の段差を無くそうとするバリアフリー設計に対応させるものである。しかして、出入口４の床面が浴室１の床面と脱衣所２の床面との段差のないバリアフリー設計に対応したものであっても、浴室１の床面に溢れて脱衣所２の床面に侵入しようとする浴水は、出入口４の床面を通る際に、出入口４の床面を構成する床枠材２７の排水溝９に排水できるようにされている。また、出入口４を閉めた引戸にも浴水が降りかかる場合があって、この引戸に降りかかった浴水は引戸の表面を伝って滴り落ちて下レール６に至るのであるが、この下レール６の床枠材２７に隣接した部位（つまり、出入口４の部位）には切り欠き２６が設けてあり、この切り欠き２６を通して上記浴水は床枠材２７の排水溝９に排水できるようにされている（図中矢印Ａ）。
【０００５】
このように、上記浴室の出入口構造にあっては、浴室１の床面から出入口４の床面に溢れた浴水は勿論のこと、出入口４を閉めた状態の引戸に降りかかった浴水をも、出入口４の床面を構成する床枠材２７の排水溝９に排水できるような構造になっている。
【０００６】
【発明が解決しようとする課題】
しかしながら、上記構成を有する浴室の出入口構造にあって、浴水が降りかかった状態の引戸をそのまま戸袋に相当する部位に納めたときには、出入口４を閉めた引戸が収まる下レール６の部位に浴水が滴り落ちるようになる。この出入口４を閉めた引戸が収まる下レール６の部位は、仕切り壁３に沿って位置する部分であって、つまり出入口４の床面には隣接していない部位であるから、この部位に滴り落ちた浴水は排水されず、下レール６内に残留してしまうといった問題があった。
【０００７】
本発明は上記の点に鑑みてなされたものであり、浴水が降りかかった引戸をそのまま戸袋に相当する部位に収め、出入口を閉めた引戸が位置する下レールの部位に引戸から浴水が滴り落ちたとしても、この下レールの部位から浴水を排水できるようにした浴室の出入口構造を提供することを課題とするものである。
【０００８】
【課題を解決するための手段】
上記課題を解決するために本発明に係る浴室の出入口構造は、隣接した浴室１と脱衣所２との間の仕切り壁３に出入口４を開口し、この出入口４の脱衣所側に引戸５を開閉自在に設け、この引戸５のガイド用の下レール６のうち出入口４を開けた引戸５が収まる部位に排水孔７を設けると共に、この排水孔７から浴室側に連通した排水経路８を設けたことを特徴とする。これにより、浴水が降りかかって濡れた状態の引戸５をスライドさせて出入口４を開けたときなどには、出入口４を開けた引戸５が収まる部位の下レール６には浴水が滴り落ちるのであるが、この下レール６に滴り落ちた浴水は下レール６に設けた排水孔７から排水経路８を経て浴室側に排水させることができ、浴水の下レール６への残留を防止できる。
【０００９】
また、下レール６に隣接した仕切り壁３の内部に上記下レール６に沿わせて排水経路８を設け、この排水経路８の出口を出入口４の床に設けた排水溝９に臨ませ、排水溝９から浴室１の床下に設けた排水トラップに排水管１０を連通させたことも好ましい。これによると、下レール６に隣接した仕切り壁３の内部に上記下レール６に沿わせて排水経路８を設けたことで、下レール６の長手方向の任意位置に排水孔７を設けて下レール６の任意位置の浴水を排水経路８に適宜排水させることが可能となる。また、排水経路８の出口を出入口４の床に設けた排水溝９に臨ませ、排水溝９から浴室１の床下に設けた排水トラップに排水管１０を連通させたことで、排水溝９に排水された浴水も上記排水溝９に残留させずに滞りなく排水トラップに排水させることができる。
【００１０】
【発明の実施の形態】
本発明は、出入口４の脱衣所側に引戸５を開閉自在に設けた場合の浴室の出入口構造において、出入口４を開けた引戸５が納まる部位に排水構造を設けたことに特徴を有するものであって、浴水が降りかかって濡れた引戸５を上記部位に納めた場合にも浴水を滞りなく浴室側に排水できるようにしたものである。以下、本発明を添付図面に示す実施形態に基づいて説明する。
【００１１】
図１乃至図４に示すように、隣接する浴室１と脱衣所２との間には仕切り壁３が形成されており、この仕切り壁３を貫通するように浴室１と脱衣所２とを連通する出入口４が設けられている。浴室１は床パン１１の外縁に壁パネル１２を立設してなるユニットルームで構成されている。この浴室１の脱衣所２に隣接する壁パネル１２には浴室開口部が開口され、この浴室開口部には開口枠１３が取付けられている。この開口枠１３は１対の縦枠１３ａの上端を横枠１３ｂで連結して形成されている。また、脱衣所２の浴室１に隣接する壁には浴室開口部の略２倍ほど幅広に形成した脱衣所開口部が開口し、その幅方向の端部位置で浴室開口部と連通させている。この脱衣所開口部には額縁１４が設けられている。この額縁１４は１対の縦額縁１４ａの上端を横額縁１４ｂで連結して形成されている。なお、脱衣所開口部のうち浴室開口部と連通しない部位には戸袋パネル１５と称される壁パネル材が設置される。なお、戸袋パネル１５は後述する幅木材４０上に載設される。しかして、脱衣所開口部と浴室開口部との連通部位が出入口４となり、対向する戸袋パネル１５と浴室１の壁パネル１２とで仕切り壁３が形成される。
【００１２】
上記脱衣所開口部にはその幅方向に亘って引戸５をガイドするレールが設けられている。本例の引戸５には、出入口４の開口面積と略同面積の板面を有し、上レール１６に釣り下がって摺動するタイプのものが用いられる。つまり、上記レールは１対の上レール１６と下レール６とで構成されると共に、引戸５にはその上面に吊り下げ転動体１７が設けられると共に下面にガイド溝１８が形成されており、上レール１６には上記吊り下げ転動体１７を摺動自在に転動させるガイドレール１９が形成され、下レール６にはガイド溝１８に挿入するガイド突起２０が形成されている。なお。図２中４８は引戸５の取っ手である。
【００１３】
詳述すると、本例の下レール６は、図５に示すように、脱衣所開口部の幅寸法と同様長さの長さ寸法を有したレール枠であり、浴室側の端縁部には下方に凹没した受け凹部２１が形成されると共に、脱衣所側の端縁部には脱衣所２の床面に接続される連結部２２が形成されており、この受け凹部２１と連結部２２との間には下方に凹没すると共にガイド突起２０を備えた中央凹部２３が形成されている。この中央凹部２３の底面は、受け凹部２１の底面より高い位置に形成されていると共に浴室側に低くなる水勾配が設けられている。また、ガイド突起２０の上面は浴室１及び脱衣所２の床面とほぼ同高さ位置に形成されており、ガイド突起２０の長手方向の数ヵ所には水抜き用の切り欠き部２４が形成されている。
【００１４】
受け凹部２１と中央凹部２３との境界には縦壁状の起立片２３ａが立設しているが、この起立片２３ａの長手方向には中央凹部２３内に流入した浴水を浴室側に排水させる起立片排水孔２５や切り欠き２６が形成されている。起立片排水孔２５は下レール６の長手方向のうち出入口４を開けた引戸５が収まる位置に形成されており、切り欠き２６は下レール６の長手方向のうち出入口４を閉めた引戸５が位置する位置に形成されている。そして、この起立片排水孔２５及び切り欠き２６は、ガイド突起２０の切り欠き部２４に対応する位置にそれぞれ設けられている。上記構成の下レール６は、脱衣所２の床面の浴室側端部に連結部２２が連結固定されて脱衣所開口部の床部分に亘って配設されている。また、下レール６の垂直上方に位置される上レール１６は、横額縁１４ｂに固定されて脱衣所開口部の天井部分に亘って配設されている。
【００１５】
また、上記出入口４は、具体的に、床を構成する床枠材２７と、縦壁を構成する方立２８及び縦枠材２９と、天井を構成する天枠材３０とで上下左右を囲まれて形成されている。つまり、床枠材２７は下レール６と浴室１の床とを連結し、方立２８は脱衣所開口部の幅方向の略中央に位置して開口枠１３の一方の縦枠１３ａと戸袋パネル１５とを連結し、縦枠材２９は脱衣所開口部の幅方向の端部に位置して開口枠１３の他方の縦枠１３ａと脱衣所２の縦額縁１４ａとを連結し、天枠材３０は上レール１６と開口枠１３の横枠１３ｂとを連結しているものである。
【００１６】
詳述すると、床枠材２７は、図１に示すように、出入口４の幅寸法と同等の長さ寸法を有し、長さ方向に亘って上方に開口する凹状の排水溝９が形成され、この排水溝９の浴室側に床パン１１の外縁に連結される床パン接続部３１が形成され、排水溝９の脱衣所側に下レール６の受け凹部２１内に位置させてビス等の固着具３２を介して接続させる下レール接続部３３が形成されて構成された押出し成形品の枠材である。なお、床枠材２７の排水溝９の底面は、浴室１及び脱衣所２の床面や下レール６の中央凹部２３の底面に比べて低い位置に形成されている。
【００１７】
この床枠材２７は、下レール接続部３３を下レール６の受け凹部２１内に位置させてビス等の固着具３２を介して下レール６に接続させると共に、床パン接続部３１を床パン１１の外縁に連結させることで、下レール６と浴室１の床とを連結する。なお、排水溝９の上面開口には多数のスリット（図示せず）を穿設した蓋材３４が被着される。この蓋材３４は出入口４の床面を構成するものであり、浴室１及び脱衣所２の床面とほぼ面一の状態にして浴室１と脱衣所２との間を段差の無いバリアフリー設計に対応させている。また、排水溝９の底面には排水孔４７が形成されており、この排水孔４７には浴室１の床下に配置される排水トラップや排水主管（図示せず）に至る排水管１０が接続される。
【００１８】
また、方立２８は図６に示す上下に長い枠体である。この方立２８は、出入口４の縦壁面を構成する平板部３５を有しており、この平板部３５の裏面における浴室側の端部には開口枠１３の縦枠１３ａに沿わせて固定する浴室側枠部３６を有し、平板部３５の裏面における脱衣所側の端部には戸袋パネル１５に沿わせて固定する脱衣所側枠部３７を有し、平板部３５の表面における脱衣所側の端部には脱衣所側に開口する断面Ｕ字状の水切り片３８を有して構成されている。なお、この方立２８の下端における脱衣所側の端部には、幅木材４０に設けた排水経路８の出口を出入口４に導出させる切り欠き３９が形成されている。この方立２８は、その下端部分の表面側を上記床枠材２７の仕切り壁側の端部に当接させるようにして、下レール６の受け凹部２１に立設させて配置される。なお、下レール６に立設した方立２８の裏面には、下レール６の受け凹部２１に配置した幅木材４０が当接されている。
【００１９】
上記幅木材４０は、図７及び図８に示すように、垂直に立設した縦材４０ａと、この縦材４０ａの上下端からそれぞれ浴室側に且つ水平に突設した上下横材４０ｂ，４０ｃと、この上下横材４０ｂ，４０ｃの浴室側端部から上下に且つ垂設したリップ材４０ｄ，４０ｄとで主体が構成され、戸袋パネル１５の幅寸法と同様の長さ寸法を有したチャンネル材である。この幅木材４０の縦材４０ａには内外に貫通する貫通孔４２が設けられ、縦材４０ａの内面には上記貫通孔４２が連通する管状の排水経路８が長さ方向に亘って形成されている。なお、この排水経路８の出口部分は出入口４の方向に突設されている。
【００２０】
この幅木材４０は、その下部部位を下レール６の受け凹部２１内に位置させて縦材４０ａの外面が下レール６の起立片２３ａに沿う状態にし、ビス等の固着具４１を介して下レール６に固定される。なお、この幅木材４０はその上横材４０ｂの上に戸袋パネル１５が載設されて仕切り壁３を構成するものであり、しかして幅木材４０は、出入口４を構成する床枠材２７と間に方立２８を介在させて位置させるように下レール６に配置固定される。そして、下レール６に固定された幅木材４０は、貫通孔４２を下レール６の起立片排水孔２５と連通させて排水孔７を形成する。この排水孔７は下レール６の中央凹部２３内の浴水を排水経路８内に排水させる機能を有するものである。詳しくは、貫通孔４２と排水経路８とは、貫通孔４２が排水経路８内に開口しつつも貫通孔４２の下縁に比べて排水経路８の底面が下方位置に位置するような位置関係を有しており、排水経路８内に排水した浴水の中央凹部２３内への逆流が防止されるようになっている。なお、幅木材４０の出入口４の方向に突設された排水経路８の出口部分は、方立２８の切り欠き３９を通って床枠材２７の上面に至るようにされている。
【００２１】
ここで、上述した浴室の出入口構造の施工について説明する。上記浴室の出入口構造を施工するには、まず、図１０にあるように、下レール６のうち出入口４を閉めた引戸５が位置する部位に床枠材２７を連結して配置し、下レール６のうち出入口４を開けた引戸５が収まる部位に幅木材４０を連結して配置する。このとき、幅木材４０の排水経路８の出口外縁にはパッキン４３が巻装され、この排水経路８の出口部分は床枠材２７上に位置される。次に、図１１にあるように、床枠材２７と幅木材４０との間の部位の下レール６に載せるように方立２８を配置する。このとき、方立２８の表面の下部部分には図９のブチルシート４４が貼着され、このブチルシート４４によって当接する方立２８の表面と床枠材２７の長手方向の端面との間に水密構造が形成される。また、嵌合した方立２８の切り欠き３９と幅木材４０の排水経路８の出口部分にはパッキン４３によって水密構造が形成される。図１２には上述した施工後の状態、つまり下レール６に床枠材２７や幅木材４０や方立２８を配置した状態の斜視図を示している。最後に、図１３に示すように幅木材４０の上横材４０ｂに載置するように戸袋パネル１５を立設させる。ここで、脱衣所開口部の仕切り壁３側の幅方向の端部には縦額縁１４ａと戸袋パネル１５とを連結する縦枠材４９が設けられており、戸袋パネル１５は方立２８の脱衣所側枠部３７と上記縦枠材４９との間に配置される。そして戸袋パネル１５は方立２８の脱衣所側枠部３７と上記縦枠材４９とにそれぞれビス止めすることで取付け施工が行われる。なお、この縦枠材４９には、出入口４を開けるようにレールをスライドさせた引戸５が縦枠材４９に直接当たらないように、戸当たりクッションゴム４５が取り付けられる。
【００２２】
上記構成を有した浴室の出入口構造にあっては、浴水の排水に関して利点を有している。まず、浴室１の床面に溢れた浴水はバリアフリーに施された出入口４の床面には容易に至るものであるが、出入口４の床面に至った浴水は蓋材３４のスリット等を経て床枠材２７の排水溝９に流れ込むようにされている。また、出入口４を閉じた引戸５には浴水が降りかかる場合があるが、この引戸５に降りかかって下レール６の中央凹部２３に流下した浴水は、図１や図１５の矢印Ａに示すようにガイド突起２０の切り欠き部２４、起立片２３ａの切り欠き２６を経て、床枠材２７の排水溝９に流れ込むようにされている。また、浴室１の床面に溢れた浴水が勢い余って下レール６にまで至ったとしても、この浴水も上記同様、下レール６の中央凹部２３に流入し、ガイド突起２０の切り欠き部２４、起立片２３ａの切り欠き２６を経て、床枠材２７の排水溝９に流れ込むようにされている。
【００２３】
なお、出入口４を閉じた引戸５にあっては、引戸５の幅方向端部に設けたパッキン４６を方立２８の脱衣所側枠部３７との間に位置させるようになっている。つまり、このパッキン４６は方立２８と引戸５との隙間を塞ぐものであり、この隙間からの脱衣所側への浴水の侵入が防止されているのである。更に、方立２８の水切り片３８は、方立２８と引戸５との隙間を浴室１に露出させないようにすることから、方立２８と引戸５との隙間に浴水が直接降りかかることをなくしているのであって、方立２８と引戸５との隙間から脱衣所２側に浴水が侵入することが更に防止されている。なお、水切り片３８に降りかかって流下した浴水は、図１６矢印Ｃに示すように床枠材２７の排水溝９に流れ込むようにされている。
【００２４】
また、出入口４を閉じた引戸５に浴水が降りかかって引戸５が濡れた状態にあるにもかかわらず、この状態の引戸５をそのままスライドさせて出入口４を開けたときには、出入口４を開けた引戸５が納まる下レール６の部位に引戸５に降りかかっていた浴水が滴り落ちるものであるが、この浴水は図１，１４，１５の矢印Ｂにあるようにガイド突起２０の切り欠き部２４、排水孔７、排水経路８を経て床枠材２７の排水溝９に流れ込むようにされている。
【００２５】
このように、本例の浴室の出入口構造にあっては、浴室１の床面に溢れた浴水や、出入口４を閉じた引戸５に降りかかった浴水のみならず、浴水が降りかかって濡れた状態の引戸５をスライドさせて出入口４を開けたときに下レール６に滴り落ちる浴水にあっても、下レール６に残留させないようにして床枠材２７の排水溝９に排水させることができるのである。なお、排水溝９に集水、排水された浴水にあっては、排水溝９の底面の排水孔４７、排水管１０を経て浴室１の排水トラップや排水主管に排水されるようにされており、この排水溝９にも浴水が残留しないで滞りなく排水されるようにされている（図１４矢印Ｄ）。
【００２６】
なお、本例は、戸袋パネル１５と一体に脱衣所側の仕切り壁３を構成する幅木材４０に排水経路８を備えており、この排水経路８を下レール６に沿わせて設けている。そして、この排水経路８に浴水を排水させる排水孔７を、出入口４を開けた引戸５が納まる部分の下レール６に２箇所設けている。このように、排水経路８を下レール６に沿わせて設けたことで、下レール６の排水を行いたい場所に適宜排水孔７を設けることを可能とし、下レール６の排水効率の向上を図ることを可能としている。
【００２７】
【発明の効果】
上記のように本発明の請求項１記載の発明にあっては、隣接した浴室と脱衣所との間の仕切り壁に出入口を開口し、この出入口の脱衣所側に引戸を開閉自在に設け、この引戸のガイド用の下レールのうち出入口を開けた引戸が収まる部位に排水孔を設けると共に、この排水孔から浴室側に連通した排水経路を設けたので、浴水が降りかかって濡れた状態の引戸をスライドさせて出入口を開けたときなどには、出入口を開けた引戸が収まる部位の下レールには浴水が滴り落ちるのであるが、この下レールに滴り落ちた浴水は下レールに設けた排水孔から排水経路を経て浴室側に排水させることができ、浴水の下レールへの残留を防止できるものである。
【００２８】
また、請求項２記載の発明にあっては、請求項１の効果に加えて、下レールに隣接した仕切り壁の内部に上記下レールに沿わせて排水経路を設け、この排水経路の出口を出入口の床に設けた排水溝に臨ませ、排水溝から浴室の床下に設けた排水トラップに排水管を連通させたので、下レールの長手方向の任意位置に排水孔を設けて下レールの任意位置の浴水を排水経路に適宜排水させることが可能となり、下レールの排水効率の向上をは図ることができ、また、排水溝に排水された浴水も上記排水溝に残留させずに滞りなく排水トラップに排水させることができるものである。
【図面の簡単な説明】
【図１】本発明の実施の形態の例を示す斜視図である。
【図２】同上の平面図である。
【図３】図２のＥ−Ｅ線断面図である。
【図４】図２のＦ−Ｆ線断面図である。
【図５】同上の下レールを示すものであり、（ａ）は平面図であり、（ｂ）は側面図であり、（ｃ）は（ａ）のＧ部分の側面図である。
【図６】同上の方立を示す裏面側から見た正面図である。
【図７】同上の幅木材の斜視図である。
【図８】同上の幅木材を示し、（ａ）は正面図であり、（ｂ）は側面図である。
【図９】同上のブチルシートの正面図である。
【図１０】同上の下レールへの幅木材及び床枠材の取付け施工を説明する斜視図である。
【図１１】同上の下レールへの方立の取付け施工を説明する斜視図である。
【図１２】同上の下レールへ幅木材、床枠材及び方立を取付けた状態を示すものであって、（ａ）は仕切り壁側から見た斜視図であり、（ｂ）は出入口側から見た斜視図である。
【図１３】同上の戸袋パネルの取付け施工を示す説明図である。
【図１４】同上の浴水の排水を説明する斜視図である。
【図１５】同上の浴水の排水を説明する（ａ）は断面図であり、（ｂ）は要部斜視図である。
【図１６】同上の浴水の排水を説明する斜視図である。
【図１７】従来技術を説明する出入口側から見た斜視図である。
【図１８】同上の仕切り壁側から見た斜視図である。
【図１９】同上の幅木材を示し、（ａ）は正面図であり、（ｂ）は側面図である。
【符号の説明】
１　浴室
２　脱衣所
３　仕切り壁
４　出入口
５　引戸
６　下レール
７　排水孔
８　排水経路
９　排水溝
１０　排水管
４０　幅木材
【図１】
2004084335.tif 000003
【図２】
2004084335.tif 000004
【図３】
2004084335.tif 000005
【図４】
2004084335.tif 000006
【図５】
2004084335.tif 000007
【図６】
2004084335.tif 000008
【図７】
2004084335.tif 000009
【図８】
2004084335.tif 000010
【図９】
2004084335.tif 000011
【図１０】
2004084335.tif 000012
【図１１】
2004084335.tif 000013
【図１２】
2004084335.tif 000014
【図１３】
2004084335.tif 000015
【図１４】
2004084335.tif 000016
【図１５】
2004084335.tif 000017
【図１６】
2004084335.tif 000018
【図１７】
2004084335.tif 000019
【図１８】
2004084335.tif 000020
【図１９】
2004084335.tif 000021